(57)【要約】【課題】全ての動作モードにおいて、周辺機器に対するノイズの悪影響を抑制できる負荷駆動装置を提供すること。【解決手段】ＤＣ−ＤＣコンバータ１００は、複数の動作モードとして、入力電圧を降圧する降圧モードと、入力電圧を昇圧する昇圧モードと、入力電圧と出力電圧とが同程度である領域を制御する昇降圧モードとで動作する。ＤＣ−ＤＣコンバータ１００は、複数の動作モードにおけるいずれの動作モードで動作させるかを判定すると共に、判定した動作モードを鋸波生成回路１４に対して指示するデューティ演算部１３と、降圧側スイッチ２２及び昇圧側スイッチ３２のスイッチング周波数を決定するための鋸波を生成するものであり、昇降圧モードが指示されている場合、降圧モード又は昇圧モードが指示されている場合よりも早い周期の鋸波を生成する鋸波生成回路１４とを備えている。【選択図】図３
2015089260.tif 000002
【特許請求の範囲】
【請求項１】
複数の動作モードで動作して、入力電圧を変換すると共に変換した出力電圧を負荷（３００）に供給することで前記負荷を駆動する負荷駆動装置であって、
降圧側スイッチ（２２）を含み、前記入力電圧を降圧する降圧部（２０）と、
昇圧側スイッチ（３２）を含み、前記入力電圧を昇圧する昇圧部（３０）と、
前記降圧側スイッチ及び前記昇圧側スイッチのスイッチング周波数を決定するための三角波又は鋸波の波形信号を生成する信号生成部（１４，１４ａ，１４ｂ）と、
前記信号生成部で生成された前記波形信号によって決定された前記スイッチング周波数で、前記降圧側スイッチをオン及びオフすると共に、前記昇圧側スイッチをオン及びオフする駆動部（１７）と、
前記負荷に流れる負荷電流及び前記負荷に印加される負荷電圧の少なくとも一方を検出する検出部（１１，１２）と、
前記検出部の検出結果に基づいて、複数の前記動作モードにおけるいずれの前記動作モードで動作させるかを判定し、判定した前記動作モードを前記信号生成部に対して指示すると共に、判定した前記動作モードに応じて前記降圧部及び前記昇圧部を昇圧動作させるか降圧動作させるかを前記駆動部に対して指示するモード切替部（１３）と、を備え、
前記信号生成部は、前記モード切替部から指示された前記動作モードに応じた周期の前記波形信号を生成し、
前記駆動部は、前記モード切替部からの指示に応じて、且つ、前記信号生成部で生成された前記波形信号によって決定された前記スイッチング周波数で、前記降圧側スイッチをオン及びオフすると共に、前記昇圧側スイッチをオン及びオフすることを特徴とする負荷駆動装置。
【請求項２】
複数の前記動作モードとして、前記入力電圧を降圧する降圧モードと、前記入力電圧を昇圧する昇圧モードと、前記降圧モードと前記昇圧モードとの間で、入力電圧と出力電圧とが同程度である領域を制御する昇降圧モードと、を含むものであり、
前記信号生成部は、前記昇降圧モードが指示されている場合、前記降圧モード又は前記昇圧モードが指示されている場合よりも早い周期の前記波形信号を生成することを特徴とする請求項１に記載の負荷駆動装置。
【請求項３】
前記信号生成部は、コンデンサ（１４１，１４１ａ，１４１ｂ）を含み、前記コンデンサの充電と放電とを行うことによって前記波形信号を生成するものであり、
前記動作モードに応じて前記コンデンサの放電タイミングを変更することで、前記動作モードに応じた周期の前記波形信号を生成する周期変更手段（１４２，１４３，１４４ａ，１４４ｂ）を備えることを特徴とする請求項１又は２に記載の負荷駆動装置。
【請求項４】
前記周期変更手段（１４２，１４３）は、前記コンデンサ（１４１）を放電させる放電用スイッチ（１４２）と、前記放電用スイッチをオン及びオフさせるデジタル回路（１４３）とを含み、前記デジタル回路が前記放電用スイッチのオンタイミングを変えることで、前記コンデンサの放電タイミングを変更することを特徴とする請求項３に記載の負荷駆動装置。
【請求項５】
前記周期変更手段（１４４ａ）は、前記コンデンサ（１４１ａ）を充電するための定電流量を変えることで、前記コンデンサの放電タイミングを変更することを特徴とする請求項３に記載の負荷駆動装置。
【請求項６】
前記周期変更手段（１４４ｂ）は、前記コンデンサ（１４１ｂ）を充電するための充電経路における時定数を変えることで、前記コンデンサの放電タイミングを変更することを特徴とする請求項３に記載の負荷駆動装置。
【請求項７】
第１周波数帯域及び前記第１周波数帯域とは異なる第２周波数帯域をノイズ制限帯域とし、且つ、前記第１周波数帯域と前記第２周波数帯域との間の周波数帯域である第３周波数帯域をノイズ非制限帯域としたノイズ規格が設定された被取付対象に取り付けられるものであり、
前記信号生成部は、各動作モードにおける前記スイッチング周波数が前記ノイズ制限帯域とならず前記ノイズ非制限帯域となるように、前記モード切替部から指示された前記動作モードに応じた周期の前記波形信号を生成することを特徴とする請求項１乃至６のいずれか一項に記載の負荷駆動装置。
【請求項８】
前記負荷として半導体光源を駆動することを特徴とする請求項１乃至７のいずれか一項に記載の負荷駆動装置。
【発明の詳細な説明】
【技術分野】
【０００１】
本発明は、複数の動作モードで動作可能な負荷駆動装置に関する。
【背景技術】
【０００２】
従来、負荷駆動装置の一例として、特許文献１に開示されたスイッチング電源装置（以下、負荷駆動装置と称する）がある。この負荷駆動装置は、第１の三角波発生回路及び第２の三角波発生回路から相反転した２つの三角波を生成する。そして、負荷駆動装置は、入力電圧を降圧するための第１のスイッチング回路と、入力電圧を昇圧するための第２のスイッチング回路とのいずれかからの電圧レベルに比例した信号と、２つの三角波を比較してパルス信号を生成する。なお、第１のスイッチング回路と第２のスイッチング回路の夫々は、スイッチング素子を備えて構成されている。
【先行技術文献】
【特許文献】
【０００３】
【特許文献１】特開平１０−２４３６４２号公報
【発明の概要】
【発明が解決しようとする課題】
【０００４】
上記の負荷駆動装置は、入力電圧を降圧する降圧モード、及び入力電圧を昇圧する昇圧モードのように、複数の動作モードで動作可能である。
【０００５】
しかしながら、負荷駆動装置は、各動作モードにおいて、スイッチ素子のスイッチング周波数が異なる。このため、負荷駆動装置は、各動作モードにおいて、スイッチングノイズ成分が異なることになる。従って、負荷駆動装置は、ある動作モードでは周辺機器に対するノイズの悪影響を抑制できるものの、他の動作モードでは周辺機器に対するノイズの悪影響を抑制できない可能性がある。
【０００６】
本発明は、上記問題点に鑑みなされたものであり、全ての動作モードにおいて、周辺機器に対するノイズの悪影響を抑制できる負荷駆動装置を提供することを目的とする。
【課題を解決するための手段】
【０００７】
上記目的を達成するために本発明は、
複数の動作モードで動作して、入力電圧を変換すると共に変換した出力電圧を負荷（３００）に供給することで負荷を駆動する負荷駆動装置であって、
降圧側スイッチ（２２）を含み、入力電圧を降圧する降圧部（２０）と、
昇圧側スイッチ（３２）を含み、入力電圧を昇圧する昇圧部（３０）と、
降圧側スイッチ及び昇圧側スイッチのスイッチング周波数を決定するための三角波又は鋸波の波形信号を生成する信号生成部（１４，１４ａ，１４ｂ）と、
信号生成部で生成された波形信号によって決定されたスイッチング周波数で、降圧側スイッチをオン及びオフすると共に、昇圧側スイッチをオン及びオフする駆動部（１７）と、
負荷に流れる負荷電流及び負荷に印加される負荷電圧の少なくとも一方を検出する検出部（１１，１２）と、
検出部の検出結果に基づいて、複数の動作モードにおけるいずれの動作モードで動作させるかを判定し、判定した動作モードを信号生成部に対して指示すると共に、判定した動作モードに応じて降圧部及び昇圧部を昇圧動作させるか降圧動作させるかを駆動部に対して指示するモード切替部（１３）と、を備え、
信号生成部は、モード切替部から指示された動作モードに応じた周期の波形信号を生成し、
駆動部は、モード切替部からの指示に応じて、且つ、信号生成部で生成された波形信号によって決定されたスイッチング周波数で、降圧側スイッチをオン及びオフすると共に、昇圧側スイッチをオン及びオフすることを特徴とする。
【０００８】
このように、本発明は、複数の動作モードにおけるいずれの動作モードで動作させるかを判定する。そして、本発明は、判定した動作モードに応じて、スイッチング周波数を決定するための波形信号の周期を変更する。つまり、本発明は、動作モードに応じて、波形信号の周期を変更することでスイッチング周波数を異ならせることができる。これによって、本発明は、降圧側スイッチ及び昇圧側スイッチのスイッチング周波数を、周辺機器に対して悪影響が及びにくいスイッチング周波数としやすくなり、全ての動作モードにおいて周辺機器に対するノイズの悪影響を抑制できる。
【０００９】
また、本発明のさらなる特徴は、複数の動作モードとして、入力電圧を降圧する降圧モードと、入力電圧を昇圧する昇圧モードと、降圧モードと昇圧モードとの間で、入力電圧と出力電圧とが同程度である領域を制御する昇降圧モードと、を含むものであり、
信号生成部は、昇降圧モードが指示されている場合、降圧モード又は昇圧モードが指示されている場合よりも早い周期の波形信号を生成することにある。
【００１０】
このようにすることで、本発明は、降圧モードと昇圧モードだけではなく、昇降圧モードだけでもなく、全ての動作モードにおいて周辺機器に対するノイズの悪影響を抑制できる。
【００１１】
なお、特許請求の範囲及びこの項に記載した括弧内の符号は、ひとつの態様として後述する実施形態に記載の具体的手段との対応関係を示すものであって、発明の技術的範囲を限定するものではない。
【図面の簡単な説明】
【００１２】
【図１】実施形態のＤＣ−ＤＣコンバータの概略構成を示すブロック図である。
【図２】実施形態の鋸波生成回路の概略構成を示す回路図である。
【図３】実施形態のＤＣ−ＤＣコンバータの動作を示すタイムチャートである。
【図４】変形例１の鋸波生成回路の概略構成を示す回路図である。
【図５】変形例１のＤＣ−ＤＣコンバータの動作を示すタイムチャートである。
【図６】変形例２の鋸波生成回路の概略構成を示す回路図である。
【発明を実施するための形態】
【００１３】
以下において、図面を参照しながら、発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１４】
本実施形態においては、本発明の負荷駆動装置をＤＣ−ＤＣコンバータ（以下、単にコンバータとも記載する）１００に適用した例を採用する。また、コンバータ１００は、負荷として半導体光源であるＬＥＤ３００を駆動するものである。ＬＥＤは、Light Emitting Diodeの略である。また、ＬＥＤ３００は、車両に搭載されて、車両の灯具用の光源として用いられるものである。よって、コンバータ１００は、被取付対象である車両に取り付けられて（搭載されて）なるものである。
【００１５】
ただし、コンバータ１００は、ＬＥＤ３００以外の半導体光源や、半導体光源以外の負荷を駆動するものであってもよい。また、本実施形態では、コンバータ１００が搭載された被取付対象として車両を採用している。しかしながら、本発明はこれに限定されない。コンバータ１００は、車両以外の被取付対象に取り付けられてもよい。
【００１６】
コンバータ１００は、複数の動作モードで動作して、入力電圧を変換すると共に変換した出力電圧をＬＥＤ３００に供給することで、ＬＥＤ３００を駆動する。コンバータ１００は、複数の動作モードとして、降圧モード、昇圧モード、及び昇降圧モードで動作する。降圧モードとは、後ほど説明する降圧部２０と昇圧部３０とを降圧動作させるモードである。昇圧モードとは、降圧部２０と昇圧部３０とを昇圧動作させるモードである。昇降圧モードとは、降圧部２０と昇圧部３０とを降圧動作及び昇圧動作させるモードである。このように、コンバータ１００は、昇圧モードと降圧モードで動作するものであるため、昇降圧型ＤＣ−ＤＣコンバータと称することもできる。なお、この各動作モードに関しては、後ほど詳しく説明する。また、動作モードは、電圧変換モード、と言い換えることもできる。
【００１７】
まず、図１，２を用いて、コンバータ１００の構成に関して説明する。図１に示すように、コンバータ１００は、制御部１０、降圧部２０、昇圧部３０、電流検出用抵抗４０、電圧検出用抵抗５１，５２などを備えて構成されている。また、コンバータ１００は、電源２００及びＬＥＤ３００と電気的に接続されている。コンバータ１００は、電源２００から入力電圧が供給される。
【００１８】
制御部１０は、降圧部２０及び昇圧部３０を制御することで、入力電圧の変換や、動作モードの切り替えなどを行うものである。この制御部１０は、図１に示すように、電圧検出回路１１、電流検出回路１２、デューティ演算部１３、鋸波生成回路１４、Ｄ／Ａ変換回路１５、コンパレータ１６、駆動回路１７などを備えて構成されている。
【００１９】
電圧検出回路１１は、特許請求の範囲における検出部に相当し、ＬＥＤ３００に印加されるＬＥＤ電圧を検出する。電圧検出回路１１は、電圧検出用抵抗５１及び電圧検出用抵抗５２で分圧された出力電圧を負荷電圧として検出する。そして、電圧検出回路１１は、検出結果をデューティ演算部１３に出力する。
【００２０】
電流検出回路１２は、特許請求の範囲における検出部に相当し、ＬＥＤ３００に流れるＬＥＤ電流を検出する。電流検出回路１２は、電流検出用抵抗４０における両端の電位差によってＬＥＤ電流を検出する。そして、電流検出回路１２は、検出結果をデューティ演算部１３に出力する。ＬＥＤ電流は、特許請求の範囲における負荷電流に相当する。
【００２１】
なお、コンバータ１００は、電圧検出回路１１と電流検出回路１２のうちの一方を備えていればよい。よって、コンバータ１００は、検出部として電圧検出回路１１を採用する場合、電流検出回路１２及び電流検出用抵抗４０を備えていなくてもよい。逆に、コンバータ１００は、検出部として電流検出回路１２を採用する場合、電圧検出回路１１及び電圧検出用抵抗５１，５２を備えていなくてもよい。
【００２２】
デューティ演算部１３は、特許請求の範囲におけるモード切替部に相当する。デューティ演算部１３は、電圧検出回路１１又は電流検出回路１２の検出結果に基づいて、デューティの調整、及び複数の動作モードにおけるいずれの動作モードで動作させるかを判定する。例えば、デューティ演算部１３は、降圧モードで動作している状態で、電流検出回路１２の検出結果である電流値と、目標電流値とを比較して、検出電流値が小さいと判断した場合、デューティが小さくなるように調整する。しかし、デューティ演算部１３は、降圧モードでのデューティがこれ以上小さくできない状態になると、昇降圧モードに動作モードを切り替える。更に、デューティ演算部１３は、昇降圧モードで動作している状態で、検出電流値が小さいと判断すると、昇圧モードに動作モードを切り替える。また、デューティ演算部１３は、昇圧モードで動作している状態で、電流検出回路１２の検出結果である電流値と、目標電流値とを比較して、検出電流値が大きいと判断した場合、デューティが小さくなるように調整する。しかし、デューティ演算部１３は、昇圧モードでのデューティがこれ以上小さくできない状態になると、昇降圧モードに動作モードを切り替える。更に、デューティ演算部１３は、昇降圧モードで動作している状態で、検出電流値が大きいと判断すると、降圧モードに動作モードを切り替える。
【００２３】
言い換えると、デューティ演算部１３は、電流検出回路１２の検出結果である電流値と、目標電流値とを比較して、入力電圧を降圧する必要があるとみなした場合は降圧モードで動作させると判定する。同様に、デューティ演算部１３は、入力電圧を昇圧する必要があるとみなした場合は昇圧モードで動作させると判定する。また、デューティ演算部１３は、降圧モードから昇圧モード、又は昇圧モードから降圧モードへの切り替える必要があるとみなした場合は昇降圧モードで動作させると判定する。
【００２４】
デューティ演算部１３は、判定した動作モードを鋸波生成回路１４に対して指示する。例えば、デューティ演算部１３は、第１モード信号Ｓ１を鋸波生成回路１４に出力することで、判定した動作モードを鋸波生成回路１４に対して指示する。詳述すると、デューティ演算部１３は、昇降圧モードで動作させると判定した場合、第１モード信号Ｓ１をハイレベルとし、降圧モード又は昇圧モードで動作させると判定した場合、第１モード信号Ｓ１をローレベルとする。つまり、第１モード信号Ｓ１は、昇降圧モードであるか、昇降圧モード以外であるかを指示する信号である。なお、昇降圧モード以外とは、昇圧モード又は降圧モードである。なお、デューティ演算部１３は、昇降圧モードと昇降圧モード以外とで、鋸波の周期を変更させるために、鋸波生成回路１４に対して第１モード信号Ｓ１を出力する。
【００２５】
また、デューティ演算部１３は、判定した動作モードに応じて降圧部２０及び昇圧部３０を昇圧動作させるか降圧動作させるかを駆動回路１７に対して指示する。例えば、デューティ演算部１３は、第２モード信号Ｓ２を駆動回路１７に出力することで昇圧動作させるか降圧動作させるかを指示する。詳述すると、デューティ演算部１３は、降圧モードで動作させると判定した場合、第２モード信号Ｓ２をローレベルとし、昇圧モードで動作させると判定した場合、第２モード信号Ｓ２をハイレベルとする。また、デューティ演算部１３は、昇降圧モードで動作させると判定した場合、第２モード信号Ｓ２を交互にローレベルとハイレベルとする。つまり、第２モード信号Ｓ２は、降圧部２０と昇圧部３０とを、降圧動作させるか、昇圧動作させるかを指示する信号である。よって、降圧部２０と昇圧部３０は、第２モード信号Ｓ２がローレベルの場合は降圧動作する。降圧部２０と昇圧部３０は、第２モード信号Ｓ２がハイレベルの場合は昇圧動作する。
【００２６】
更に、デューティ演算部１３は、例えば、電流検出回路１２の検出結果である電流値と目標電流値とを比較することで、鋸波生成回路１４が生成する鋸波と比較される比較電圧を演算して、演算結果をＤ／Ａ変換回路１５に出力する。Ｄ／Ａ変換回路１５は、演算結果をＤ／Ａ変換して、比較電圧に相当する閾値電圧Ｖｔｈをコンパレータ１６に出力する。なお、デューティ演算部１３は、ローレベルの第１モード信号Ｓ１が入力されている場合と、ハイレベルの第１モード信号Ｓ１が入力されている場合とで、異なる演算結果を出力することになる。よって、閾値電圧Ｖｔｈは、第１モード信号Ｓ１がローレベルの場合とハイレベルの場合とで異なる。
【００２７】
鋸波生成回路１４は、特許請求の範囲における信号生成部に相当する。鋸波生成回路１４は、降圧側スイッチ２２及び昇圧側スイッチ３２のスイッチング周波数を決定するための鋸波の波形信号を生成する。よって、鋸波生成回路１４は、降圧側スイッチ２２及び昇圧側スイッチ３２のオン時間を生成するための回路、と言い換えることもできる。
【００２８】
鋸波生成回路１４は、第１モード信号Ｓ１が入力されることで、デューティ演算部１３から動作モードが指示される。鋸波生成回路１４は、第１モード信号Ｓ１がハイレベルの場合、昇降圧モードが指示されているとみなし、第１モード信号Ｓ１がローレベルの場合、昇降圧モードが指示されていないとみなす。つまり、鋸波生成回路１４は、第１モード信号Ｓ１がローレベルの場合、降圧モード又は昇圧モードが指示されているとみなす。
【００２９】
また、鋸波生成回路１４は、デューティ演算部１３から指示された動作モードに応じた周期の鋸波を生成する。つまり、鋸波生成回路１４は、デューティ演算部１３から出力された第１モード信号Ｓ１がハイレベルであるかローレベルであるかによって、周期が異なる鋸波を生成する。後ほど説明するが、鋸波生成回路１４は、第１モード信号Ｓ１がハイレベルの場合、第１モード信号Ｓ１がローレベルの場合よりも周期が短い鋸波を生成する。
【００３０】
ここで、図２を用いて、鋸波生成回路１４の回路構成の一例に関して説明する。鋸波生成回路１４は、コンデンサ１４１、放電用スイッチ１４２、デジタル回路１４３、定電流回路などを備えて構成されている。鋸波生成回路１４は、コンデンサ１４１の充電と放電とを行うことによって鋸波を生成するものである。つまり、鋸波生成回路１４は、コンデンサ１４１の充電と放電を周期的に繰り返すことで、連続した鋸波を生成する。なお、鋸波は、コンデンサ１４１の充電の開始から、コンデンサ１４１の放電の終了までが１周期である。
【００３１】
そして、鋸波生成回路１４は、動作モードに応じてコンデンサ１４１の放電タイミングを変更することで、動作モードに応じた周期の鋸波を生成する。言い換えると、鋸波生成回路１４は、動作モードに応じてコンデンサ１４１の放電周期を変更することで、動作モードに応じた周期の鋸波を生成する。更に、鋸波生成回路１４は、動作モードに応じて、自身が生成する鋸波の放電周期を変更する（周期変更手段）、と言い換えることもできる。
【００３２】
周期変更手段に関しては、特に限定されるものではない。ここでは、周期変更手段の一例に関して説明する。コンデンサ１４１は、放電用スイッチ１４２がオフのときに定電流回路によって充電され、放電用スイッチ１４２がオフからオンすることで放電される。よって、放電用スイッチ１４２は、コンデンサ１４１を放電させる、と言う事ができる。この放電用スイッチ１４２と、デジタル回路１４３とは、特許請求の範囲における周期変更手段に相当する。鋸波生成回路１４は、デジタル回路１４３が放電用スイッチ１４２のオンタイミングを変えることで、コンデンサ１４１の放電タイミングを変更する。
【００３３】
放電用スイッチ１４２は、ゲートにデジタル回路１４３が接続されており、デジタル回路１４３からの放電信号によってオン及びオフする。デジタル回路１４３は、クロック信号に同期して動作するものであり、放電信号としてハイレベルの信号を出力することで放電用スイッチ１４２をオンさせる共に、放電信号としてローレベルの信号を出力することで放電用スイッチ１４２をオフさせる。
【００３４】
デジタル回路１４３は、デューティ演算部１３から第１モード信号Ｓ１が入力され、この第１モード信号Ｓ１がハイレベルであるかローレベルであるかによって、放電用スイッチ１４２に対するハイレベルの放電信号の出力タイミングを変更する。つまり、デジタル回路１４３は、第１モード信号Ｓ１がハイレベルであるかローレベルであるかによって、放電用スイッチ１４２をオンするタイミングを変更する。言い換えると、デジタル回路１４３は、第１モード信号Ｓ１がハイレベルであるかローレベルであるかによって、オフである放電用スイッチ１４２をオンさせるタイミングを変更する。
【００３５】
詳述すると、デジタル回路１４３は、第１モード信号Ｓ１がハイレベルの場合、第１モード信号Ｓ１がローレベルの場合よりも、ハイレベルの放電信号の出力タイミングを早くする。よって、コンデンサ１４１の放電タイミングは、第１モード信号Ｓ１がローレベルの場合よりも、第１モード信号Ｓ１がハイレベルの場合の方が早くなる。このようにして、鋸波生成回路１４は、第１モード信号Ｓ１がハイレベルの場合、第１モード信号Ｓ１がローレベルの場合よりも周期が短い鋸波を生成する。言い換えると、鋸波生成回路１４は、昇降圧モード時においては、降圧モード時及び昇圧モード時よりも周期が短い鋸波を生成する。更に、鋸波生成回路１４は、昇降圧モード時と、降圧モード時及び昇圧モード時とで、傾きが同じ鋸波を生成することになる。
【００３６】
なお、本実施形態においては、波形信号として鋸波を採用した。しかしながら、本発明は、波形信号として三角波を用いてもよい。この場合、コンバータ１００は、鋸波生成回路１４のかわりに、三角波の波形信号を生成する三角波生成回路が設けられることになる。
【００３７】
ここで、図１に戻って、制御部１０における残りの構成要素に関して説明する。コンパレータ１６は、Ｄ／Ａ変換回路１５から出力された閾値電圧Ｖｔｈと、鋸波生成回路１４から出力された鋸波とを比較して、その比較結果を駆動回路１７に出力する。
【００３８】
駆動回路１７は、特許請求の範囲における駆動部に相当する。駆動回路１７は、デューティ演算部１３からの指示に応じて、且つ、鋸波生成回路１４で生成された鋸波によって決定されたスイッチング周波数で、降圧側スイッチ２２をオン及びオフすると共に、昇圧側スイッチ３２をオン及びオフする。駆動回路１７は、第２モード信号Ｓ２がローレベルの場合、降圧動作させるように指示されているとみなし、第２モード信号Ｓ２がハイレベルの場合、昇圧動作させるように指示されているとみなす。更に、駆動回路１７は、コンパレータ１６での比較結果に基づいて、降圧側スイッチ２２のオン時間、昇圧側スイッチ３２のオン時間を決定する。
【００３９】
また、駆動回路１７は、降圧側スイッチ２２のゲート及び昇圧側スイッチ３２のゲートに接続されている。そして、駆動回路１７は、第２モード信号Ｓ２とコンパレータ１６での比較結果に応じて、降圧側スイッチ２２のオン及びオフを指示する駆動信号Ｖｄを出力すると共に、昇圧側スイッチ３２のオン及びオフを指示する駆動信号Ｖｕを出力する。
【００４０】
降圧部２０は、降圧側スイッチ２２を含み、入力電圧を降圧するものである。また、降圧部２０は、降圧側スイッチ２２に加えて、入力コンデンサ２１、降圧側ダイオード２３、コイルＬ１を備えて構成されている。なお、降圧部２０は、周知技術であるため、詳しい説明は省略する。
【００４１】
昇圧部３０は、昇圧側スイッチ３２を含み、入力電圧を昇圧するものである。また、昇圧部３０は、昇圧側スイッチ３２に加えて、出力コンデンサ３１、昇圧側ダイオード３３、コイルＬ１を備えて構成されている。なお、昇圧部３０は、周知技術であるため、詳しい説明は省略する。また、このように、コイルＬ１は、降圧部２０と昇圧部３０とに共通に設けられている。
【００４２】
電流検出用抵抗４０は、ＬＥＤ３００に流れるＬＥＤ電流を検出するための抵抗であり、一方の端子が昇圧側ダイオード３３のカソードに接続されており、他方の端子がＬＥＤ３００のアノードに接続されている。電圧検出用抵抗５１，５２は、ＬＥＤ３００に印加されるＬＥＤ電圧を検出するための抵抗であり、直列に接続され、且つ、ＬＥＤ３００と並列に接続されている。
【００４３】
ここで、図３を用いて、コンバータ１００の動作に関して説明する。上記のように、コンバータ１００は、入力電圧を降圧する降圧モードと、入力電圧を昇圧する昇圧モードと、入力電圧と出力電圧とが同程度である領域を制御する昇降圧モードとで動作する。言い換えると、昇降圧モードは、入力電圧と出力電圧との関係が、コンバータ１００を降圧モード及び昇圧モードで動作させる必要がない関係である場合の動作モードである。例えば、コンバータ１００は、昇降圧モードで動作する場合、定常的に昇圧モードや降圧モードでは出力できないような入力電圧に近い出力電圧を制御する。また、コンバータ１００は、降圧モードと昇圧モードとの間において、昇降圧モードで動作する、と称することもできる。
【００４４】
降圧モードは、入力電圧を降圧するモードである。駆動回路１７は、降圧モードでは、降圧部２０と昇圧部３０とを降圧動作させる。つまり、駆動回路１７は、図３の降圧動作領域に示すように、昇圧側スイッチ３２をオフさせつつ、降圧側スイッチ２２をオン及びオフさせる。詳述すると、駆動回路１７は、昇圧側スイッチ３２に対してオフを指示する駆動信号Ｖｕを常に出力する。そして、駆動回路１７は、鋸波が閾値電圧Ｖｔｈよりも低い間は、降圧側スイッチ２２に対してオフを指示する駆動信号Ｖｄを出力し、鋸波が閾値電圧Ｖｔｈを超している間は、降圧側スイッチ２２に対してオンを指示する駆動信号Ｖｄを出力する。このように、駆動回路１７は、昇圧側スイッチ３２は常にオフさせておき、鋸波の１周期において、降圧側スイッチ２２をオフからオンさせる。なお、オン時間は、鋸波と閾値電圧Ｖｔｈとによって決定される。また、鋸波生成回路１４は、降圧モード時、例えば４４０ｋＨｚの鋸波を生成する。
【００４５】
昇圧モードは、入力電圧を昇圧するモードである。駆動回路１７は、昇圧モードでは、降圧部２０と昇圧部３０とを昇圧動作させる。つまり、駆動回路１７は、図３の昇圧動作領域に示すように、降圧側スイッチ２２をオンさせつつ、昇圧側スイッチ３２をオン及びオフさせる。詳述すると、駆動回路１７は、降圧側スイッチ２２に対してオンを指示する駆動信号Ｖｄを常に出力する。そして、駆動回路１７は、鋸波が閾値電圧Ｖｔｈよりも低い間は、昇圧側スイッチ３２に対してオンを指示する駆動信号Ｖｕを出力し、鋸波が閾値電圧Ｖｔｈを超している間は、昇圧側スイッチ３２に対してオフを指示する駆動信号Ｖｕを出力する。このようにして、駆動回路１７は、降圧側スイッチ２２は常にオンさせておき、波形信号の１周期において、昇圧側スイッチ３２をオンからオフさせる。なお、オン時間は、鋸波と閾値電圧Ｖｔｈとによって決定される。また、鋸波生成回路１４は、昇圧モード時、例えば４４０ｋＨｚの鋸波を生成する。
【００４６】
昇降圧モードは、入力電圧と出力電圧とが同程度である領域を制御するモードである。駆動回路１７は、昇降圧モードでは、降圧部２０と昇圧部３０に対して、昇圧動作と降圧動作とを交互に行わせる。
【００４７】
ここでは、昇降圧モードの一例として、降圧モードから昇降圧モードに切り替わった場合の動作に関して説明する。駆動回路１７は、図３の昇降圧動作領域に示すように、降圧側スイッチ２２をオン及びオフさせつつ、昇圧側スイッチ３２をオン及びオフさせる。具体的には、駆動回路１７は、降圧モードから昇降圧モードに切り替わった場合、まず降圧部２０と昇圧部３０とを昇圧動作させ、その後、降圧部２０と昇圧部３０とを降圧動作させる。そして、駆動回路１７は、降圧部２０と昇圧部３０に対して、昇圧動作と降圧動作とを交互に行わせる。
【００４８】
詳述すると、駆動回路１７は、鋸波における最初の１周期において、降圧側スイッチ２２に対してオンを指示する駆動信号Ｖｄを常に出力する。そして、駆動回路１７は、鋸波が閾値電圧Ｖｔｈよりも低い間は、昇圧側スイッチ３２に対してオンを指示する駆動信号Ｖｕを出力し、鋸波が閾値電圧Ｖｔｈを超している間は、昇圧側スイッチ３２に対してオフを指示する駆動信号Ｖｕを出力する。この場合に関しても、オン時間は、鋸波と閾値電圧Ｖｔｈとによって決定される。
【００４９】
その後、駆動回路１７は、鋸波における次の１周期において、昇圧側スイッチ３２に対してオフを指示する駆動信号Ｖｕを常に出力する。そして、駆動回路１７は、鋸波が閾値電圧Ｖｔｈよりも低い間は、降圧側スイッチ２２に対してオフを指示する駆動信号Ｖｄを出力し、鋸波が閾値電圧Ｖｔｈを超している間は、降圧側スイッチ２２に対してオンを指示する駆動信号Ｖｄを出力する。この場合に関しても、オン時間は、鋸波と閾値電圧Ｖｔｈとによって決定される。
【００５０】
更に、鋸波生成回路１４は、昇降圧モード時においては、デジタル回路１４３が放電用スイッチ１４２をオンするタイミングを降圧モード時及び昇圧モード時より早くすることで、降圧モード時及び昇圧モード時よりも周期が短い鋸波を生成する。よって、鋸波生成回路１４は、昇降圧モード時、例えば６６０ｋＨｚの鋸波を生成する。
【００５１】
なお、昇降圧モード時において、降圧モード時及び昇圧モード時よりも周期が短い鋸波を生成しないコンバータは、昇降圧モード時に昇圧動作、降圧動作を交互に繰り返すことになる。このため、このコンバータの昇降圧モード時におけるノイズ成分は、駆動周波数の半分の高調波成分となる。つまり、このコンバータにおけるノイズ成分は、降圧モード又は昇圧モードと、昇降圧モードとで２：１の関係になる。
【００５２】
そこで、コンバータ１００は、入出力電圧に応じて、昇圧モード、昇降圧モード、降圧モードから最適な動作モードを選択し、夫々の駆動モードに対して最適な駆動周波数で駆動させることでノイズ改善を図るものである。
【００５３】
このために、コンバータ１００は、複数の動作モードにおけるいずれの動作モードで動作させるかを判定する。そして、コンバータ１００は、判定した動作モードに応じて、スイッチング周波数を決定するための鋸波の周期を変更する。つまり、コンバータ１００は、動作モードに応じて、鋸波の周期を変更することでスイッチング周波数を異ならせることができる。例えば、コンバータ１００は、図３に示す一例のように、降圧モード及び昇圧モードにおける鋸波の周波数を４４０ｋＨｚとした場合、昇降圧モードにおける鋸波の周波数を６６０ｋＨｚとすることができる。これによって、コンバータ１００は、降圧側スイッチ２２及び昇圧側スイッチ３２のスイッチング周波数を、周辺機器に対して悪影響が及びにくいスイッチング周波数としやすくなり、全ての動作モードにおいて周辺機器に対するノイズの悪影響を抑制できる。言い換えると、コンバータ１００は、自身のノイズ成分を周辺機器に対して悪影響が及びにくくしやすくなり、全ての動作モードにおいて周辺機器に対するノイズの悪影響を抑制できる。
【００５４】
また、コンバータ１００は、複数の動作モードとして、入力電圧を降圧する降圧モードと、入力電圧を昇圧する昇圧モードと、入力電圧と出力電圧とが同程度である領域を制御する昇降圧モードと、を含むものである。そして、コンバータ１００は、昇降圧モードが指示されている場合、降圧モード又は昇圧モードが指示されている場合よりも早い周期の波形信号を生成する（信号生成部）。このようにすることで、コンバータ１００は、降圧モードと昇圧モードだけではなく、昇降圧モードだけでもなく、全ての動作モードにおいて周辺機器に対するノイズの悪影響を抑制できる。
【００５５】
また、コンバータ１００が取り付けられている車両は、ラジオでＬＷ帯（〜２８０ｋＨｚ）、ＡＭ帯（５１０ｋＨｚ〜）を使用していることがある。よって、車両は、ＬＷ帯及びＡＭ帯をノイズ制限帯域とし、且つ、ＬＷ帯とＡＭ帯との間の周波数帯域をノイズ非制限帯域としたノイズ規定が設定されていることがある。つまり、車両は、第１周波数帯域及び第１周波数帯域とは異なる第２周波数帯域をノイズ制限帯域とし、且つ、第１周波数帯域と第２周波数帯域との間の周波数帯である第３周波数帯域をノイズ非制限帯域としたノイズ規格が設定されていることがある。なお、ノイズ非制限帯域は、制限されていない帯域であるため、ノイズ無制限帯域と称することもできる。
【００５６】
そこで、コンバータ１００は、各動作モードにおけるスイッチング周波数がノイズ制限帯域とならずノイズ非制限帯域となるように、デューティ演算部１３から指示された動作モードに応じた周期の鋸波を生成する（記信号生成部）。コンバータ１００は、昇降圧モード、降圧モード、昇圧モードのいずれの動作モードにおいても、スイッチング周波数がノイズ制限帯域とならずノイズ非制限帯域となるように鋸波を生成する。このようにすることで、コンバータ１００は、全ての動作モードにおいて、ノイズ規格を満たすことができる。
【００５７】
例えば、鋸波の周期を変更しないコンバータは、降圧モードや昇圧モードでの鋸波の周波数が４４０ｋＨｚとした場合、４４０ｋＨｚのノイズ成分となり、降圧モードや昇圧モードではノイズ規定を満たすことができる。しかしながら、このコンバータは、昇降圧モードにおいて２２０ｋＨｚのノイズ成分となるため、ノイズ規定を満たすことができない。これに対して、コンバータ１００は、降圧モード及び昇圧モードにおける鋸波の周波数を４４０ｋＨｚとした場合、昇降圧モードにおいて３３０ｋＨｚのノイズ成分とすることができる。このように、コンバータ１００は、全ての動作モードにおいて、ノイズ規格を満たすことができる。
【００５８】
以上、本発明の好ましい実施形態について説明した。しかしながら、本発明は、上記した実施形態に何ら制限されることはなく、本発明の趣旨を逸脱しない範囲において、種々の変形が可能である。以下に、本発明の変形例１，２に関して説明する。上記の実施形態及び変形例１，２は、夫々単独で実施することも可能であるが、適宜組み合わせて実施することも可能である。発明は、実施形態において示された組み合わせに限定されることなく、種々の組み合わせによって実施可能である。
【００５９】
（変形例１）
変形例１のコンバータは、図４に示す鋸波生成回路１４ａが設けられている。つまり、変形例１のコンバータは、鋸波生成回路１４のかわりに、鋸波生成回路１４ａが設けられている点がコンバータ１００と異なる。鋸波生成回路１４ａは、特許請求の範囲における信号生成部に相当する。鋸波生成回路１４ａは、鋸波生成回路１４と同様に、降圧側スイッチ２２及び昇圧側スイッチ３２のスイッチング周波数を決定するための鋸波の波形信号を生成する。鋸波生成回路１４ａは、降圧側スイッチ２２及び昇圧側スイッチ３２のオン時間を生成するための回路、と言い換えることもできる。なお、鋸波生成回路１４ａは、デジタル方式で鋸波の周期を変更する鋸波生成回路１４に対して、アナログ方式で鋸波の周期を変更する、と言うことができる。
【００６０】
鋸波生成回路１４ａは、第１モード信号Ｓ１が入力されることで、デューティ演算部１３から動作モードが指示される。鋸波生成回路１４ａは、第１モード信号Ｓ１がハイレベルの場合、昇降圧モードが指示されているとみなし、第１モード信号Ｓ１がローレベルの場合、昇降圧モードが指示されていないとみなす。つまり、鋸波生成回路１４ａは、第１モード信号Ｓ１がローレベルの場合、降圧モード又は昇圧モードが指示されているとみなす。
【００６１】
また、鋸波生成回路１４ａは、デューティ演算部１３から指示された動作モードに応じた周期の鋸波を生成する。つまり、鋸波生成回路１４ａは、デューティ演算部１３から出力された第１モード信号Ｓ１がハイレベルであるかローレベルであるかによって、周期が異なる鋸波を生成する。具体的には、鋸波生成回路１４ａは、第１モード信号Ｓ１がハイレベルの場合、第１モード信号Ｓ１がローレベルの場合よりも周期が短い鋸波を生成する。
【００６２】
鋸波生成回路１４ａは、コンデンサ１４１ａ、放電用スイッチ１４２ａ、コンパレータ１４５ａ、抵抗１４３ａを有する定電流回路などを備えて構成されている。更に、鋸波生成回路１４ａは、定電流回路の定電流量を変更するための変更用スイッチ１４４ａを備えて構成されている。
【００６３】
鋸波生成回路１４ａは、コンデンサ１４１ａの充電と放電とを行うことによって鋸波を生成するものである。つまり、鋸波生成回路１４ａは、コンデンサ１４１ａの充電と放電を周期的に繰り返すことで、連続した鋸波を生成する。なお、鋸波は、コンデンサ１４１ａの充電の開始から、コンデンサ１４１ａの放電の終了までが１周期である。
【００６４】
そして、鋸波生成回路１４ａは、動作モードに応じてコンデンサ１４１ａの放電タイミングを変更することで、動作モードに応じた周期の鋸波を生成する。言い換えると、鋸波生成回路１４ａは、動作モードに応じてコンデンサ１４１ａの放電周期を変更することで、動作モードに応じた周期の鋸波を生成する。更に、鋸波生成回路１４ａは、動作モードに応じて、自身が生成する鋸波の放電周期を変更する、と言い換えることもできる。
【００６５】
コンデンサ１４１ａは、放電用スイッチ１４２ａがオフのときに定電流回路によって充電され、放電用スイッチ１４２ａがオフからオンすることで放電される。よって、放電用スイッチ１４２ａは、コンデンサ１４１ａを放電させる、と言う事ができる。なお、コンデンサ１４１ａは、一方の端子がグランドに接続されており、他方の端子が定電流源に接続されている。よって、コンデンサ１４１ａにおける定電流源に接続されている端子は、定電流源側端子と称することもできる。
【００６６】
放電用スイッチ１４２ａは、ゲートにコンパレータ１４５ａが接続されており、コンパレータ１４５ａからの放電信号によってオン及びオフする。コンパレータ１４５ａは、反転入力端子に基準電圧を供給する電源が接続されており、非反転入力端子がコンデンサ１４１ａの定電流源側端子に接続されている。コンパレータ１４５ａは、放電信号としてハイレベルの信号を出力することで放電用スイッチ１４２ａをオンさせる共に、放電信号としてローレベルの信号を出力することで放電用スイッチ１４２ａをオフさせる。
【００６７】
コンパレータ１４５ａは、コンデンサ１４１ａの充電が完了していない場合、非反転入力端子の電位が反転入力端子の電位よりも低く、放電信号としてローレベルの信号を出力することになる。よって、コンパレータ１４５ａは、コンデンサ１４１ａの充電が完了していない場合、放電用スイッチ１４２ａをオフさせる。
【００６８】
そして、コンパレータ１４５ａは、コンデンサ１４１ａの充電が完了すると、非反転入力端子の電位が反転入力端子の電位よりも高くなり、放電信号としてハイレベルの信号を出力することになる。よって、コンパレータ１４５ａは、コンデンサ１４１ａの充電が完了すると、放電用スイッチ１４２ａをオンさせる。このように、コンパレータ１４５ａは、コンデンサ１４１ａの充電状態に応じて、放電用スイッチ１４２ａをオン及びオフさせる。
【００６９】
変更用スイッチ１４４ａは、特許請求の範囲における周期変更手段に相当する。鋸波生成回路１４ａは、変更用スイッチ１４４ａがコンデンサ１４１ａを充電するための定電流量を変えることで、コンデンサ１４１ａの放電タイミングを変更する。変更用スイッチ１４４ａは、ゲートにデューティ演算部１３が接続されており、抵抗１４３ａと並列に設けられている。変更用スイッチ１４４ａは、ゲートに、デューティ演算部１３から第１モード信号Ｓ１が入力される。変更用スイッチ１４４ａは、この第１モード信号Ｓ１がハイレベルであるかローレベルであるかによって、自身のオンとオフが切り替わる。そして、変更用スイッチ１４４ａは、自身のオンとオフが切り替わることで、コンデンサ１４１ａを充電するための定電流量（言い換えると、定電流値）を変えることができる。
【００７０】
つまり、変更用スイッチ１４４ａは、第１モード信号Ｓ１がハイレベルであるかローレベルであるかによって、コンデンサ１４１ａへの定電流量を変えて、コンデンサ１４１ａの放電タイミングを変更する。よって、変更用スイッチ１４４ａは、第１モード信号Ｓ１がハイレベルであるかローレベルであるかによって、コンパレータ１４５ａがハイレベルの放電信号を出力するタイミングを変更し、放電用スイッチ１４２ａをオンするタイミングを変更する。言い換えると、変更用スイッチ１４４ａは、第１モード信号Ｓ１がハイレベルであるかローレベルであるかによって、オフである放電用スイッチ１４２ａをオンさせるタイミングを変更する。
【００７１】
詳述すると、変更用スイッチ１４４ａは、第１モード信号Ｓ１がハイレベルの場合、第１モード信号Ｓ１がローレベルの場合よりも、コンデンサ１４１ａへの定電流量を増やす。つまり、変更用スイッチ１４４ａは、第１モード信号Ｓ１がハイレベルの場合、第１モード信号Ｓ１がローレベルの場合よりも、コンデンサ１４１ａの充電時間を短くすることができる。よって、コンデンサ１４１ａの放電タイミングは、第１モード信号Ｓ１がローレベルの場合よりも、第１モード信号Ｓ１がハイレベルの場合の方が早くなる。
【００７２】
このように、鋸波生成回路１４ａは、第１モード信号Ｓ１がハイレベルの場合、第１モード信号Ｓ１がローレベルの場合よりも周期が短い鋸波を生成する。よって、鋸波生成回路１４ａは、図５に示すように、昇降圧モード時においては、降圧モード時及び昇圧モード時よりも周期が短い鋸波を生成することができる。ただし、鋸波生成回路１４ａは、昇降圧モード時と、降圧モード時及び昇圧モード時とで、傾きが異なる鋸波を生成することになる。
【００７３】
このように、鋸波生成回路１４ａを採用したコンバータであっても、コンバータ１００と同様の効果を奏することができる。
【００７４】
なお、本変形例においては、波形信号として鋸波を採用した。しかしながら、本発明は、波形信号として三角波を用いてもよい。この場合、変形例１のコンバータは、鋸波生成回路１４ａのかわりに、三角波の波形信号を生成する三角波生成回路が設けられることになる。
【００７５】
（変形例２）
変形例２のコンバータは、図６に示す鋸波生成回路１４ｂが設けられている。つまり、変形例２のコンバータは、鋸波生成回路１４のかわりに、鋸波生成回路１４ｂが設けられている点がコンバータ１００と異なる。鋸波生成回路１４ｂは、特許請求の範囲における信号生成部に相当する。鋸波生成回路１４ｂは、鋸波生成回路１４と同様に、降圧側スイッチ２２及び昇圧側スイッチ３２のスイッチング周波数を決定するための鋸波の波形信号を生成する。鋸波生成回路１４ｂは、降圧側スイッチ２２及び昇圧側スイッチ３２のオン時間を生成するための回路、と言い換えることもできる。
【００７６】
なお、鋸波生成回路１４ｂは、デジタル方式で鋸波の周期を変更する鋸波生成回路１４に対して、アナログ方式で鋸波の周期を変更する、と言うことができる。また、変形例２のコンバータにおけるタイムチャートは、変形例１のコンバータと同様であるため図示を省略する。
【００７７】
鋸波生成回路１４ｂは、第１モード信号Ｓ１が入力されることで、デューティ演算部１３から動作モードが指示される。鋸波生成回路１４ｂは、第１モード信号Ｓ１がハイレベルの場合、昇降圧モードが指示されているとみなし、第１モード信号Ｓ１がローレベルの場合、昇降圧モードが指示されていないとみなす。つまり、鋸波生成回路１４ｂは、第１モード信号Ｓ１がローレベルの場合、降圧モード又は昇圧モードが指示されているとみなす。
【００７８】
また、鋸波生成回路１４ｂは、デューティ演算部１３から指示された動作モードに応じた周期の鋸波を生成する。つまり、鋸波生成回路１４ｂは、デューティ演算部１３から出力された第１モード信号Ｓ１がハイレベルであるかローレベルであるかによって、周期が異なる鋸波を生成する。具体的には、鋸波生成回路１４ｂは、第１モード信号Ｓ１がハイレベルの場合、第１モード信号Ｓ１がローレベルの場合よりも周期が短い鋸波を生成する。
【００７９】
鋸波生成回路１４ｂは、コンデンサ１４１ｂ、放電用スイッチ１４２ｂ、コンパレータ１４５ｂ、抵抗１４３ｂを有する定電流回路などを備えて構成されている。更に、鋸波生成回路１４ｂは、コンデンサ１４１ｂを充電するための充電経路における時定数を変更するための変更用スイッチ１４４ｂを備えて構成されている。
【００８０】
鋸波生成回路１４ｂは、コンデンサ１４１ｂの充電と放電とを行うことによって鋸波を生成するものである。つまり、鋸波生成回路１４ｂは、コンデンサ１４１ｂの充電と放電を周期的に繰り返すことで、連続した鋸波を生成する。なお、鋸波は、コンデンサ１４１ｂの充電の開始から、コンデンサ１４１ｂの放電の終了までが１周期である。なお、コンデンサ１４１ｂ、放電用スイッチ１４２ｂ、コンパレータ１４５ｂの夫々は、コンデンサ１４１ａ、放電用スイッチ１４２ａ、コンパレータ１４５ａの夫々と同様であるため説明を省略する。
【００８１】
変更用スイッチ１４４ｂは、特許請求の範囲における周期変更手段に相当する。鋸波生成回路１４ｂは、変更用スイッチ１４４ｂがコンデンサ１４１ｂを充電するための充電経路における時定数を変えることで、１４１ｂの放電タイミングを変更する。変更用スイッチ１４４ｂは、ゲートにデューティ演算部１３が接続されており、抵抗１４３ｂと並列に設けられている。変更用スイッチ１４４ｂは、デューティ演算部１３から第１モード信号Ｓ１が入力される。変更用スイッチ１４４ｂは、この第１モード信号Ｓ１がハイレベルであるかローレベルであるかによって、自身のオンとオフが切り替わる。そして、変更用スイッチ１４４ｂは、自身のオンとオフが切り替わることで、コンデンサ１４１ｂを充電するための充電経路における時定数を変えることができる。
【００８２】
つまり、変更用スイッチ１４４ｂは、第１モード信号Ｓ１がハイレベルであるかローレベルであるかによって、コンデンサ１４１ｂを充電するための充電経路における時定数を変えて、コンデンサ１４１ａの放電タイミングを変更する。よって、変更用スイッチ１４４ｂは、第１モード信号Ｓ１がハイレベルであるかローレベルであるかによって、コンパレータ１４５ｂがハイレベルの放電信号を出力するタイミングを変更し、放電用スイッチ１４２ｂをオンするタイミングを変更する。言い換えると、変更用スイッチ１４４ｂは、第１モード信号Ｓ１がハイレベルであるかローレベルであるかによって、オフである放電用スイッチ１４２ｂをオンさせるタイミングを変更する。
【００８３】
詳述すると、変更用スイッチ１４４ｂは、第１モード信号Ｓ１がハイレベルの場合、第１モード信号Ｓ１がローレベルの場合よりも、コンデンサ１４１ｂへの充電速度を速める。つまり、変更用スイッチ１４４ｂは、第１モード信号Ｓ１がハイレベルの場合、第１モード信号Ｓ１がローレベルの場合よりも、コンデンサ１４１ｂの充電時間を短くすることができる。よって、コンデンサ１４１ｂの放電タイミングは、第１モード信号Ｓ１がローレベルの場合よりも、第１モード信号Ｓ１がハイレベルの場合の方が早くなる。
【００８４】
このようにして、鋸波生成回路１４ｂは、第１モード信号Ｓ１がハイレベルの場合、第１モード信号Ｓ１がローレベルの場合よりも周期が短い鋸波を生成する。よって、鋸波生成回路１４ｂは、図５に示すように、昇降圧モード時においては、降圧モード時及び昇圧モード時よりも周期が短い鋸波を生成することができる。ただし、鋸波生成回路１４ｂは、昇降圧モード時と、降圧モード時及び昇圧モード時とで、傾きが異なる鋸波を生成することになる。
【００８５】
このように、鋸波生成回路１４ｂを採用したコンバータであっても、コンバータ１００と同様の効果を奏することができる。
【００８６】
なお、本変形例においては、波形信号として鋸波を採用した。しかしながら、本発明は、波形信号として三角波を用いてもよい。この場合、変形例２のコンバータは、鋸波生成回路１４ｂのかわりに、三角波の波形信号を生成する三角波生成回路が設けられることになる。
【符号の説明】
【００８７】
１０  制御部、１１  電圧検出回路、１２  電流検出回路、１３  デューティ演算部、１４  鋸波生成回路、１４１  コンデンサ、１４２  放電用スイッチ、１４３  デジタル回路、１４ａ  鋸波生成回路、１４１ａ  コンデンサ、１４２ａ  放電用スイッチ、１４３ａ  抵抗、１４４ａ  変更用スイッチ、１４５ａ  コンパレータ、１４ｂ  鋸波生成回路、１４１ｂ  コンデンサ、１４２ｂ  放電用スイッチ、１４３ｂ  抵抗、１４４ｂ  変更用スイッチ、１４５ｂ  コンパレータ、１５  Ｄ／Ａ変換回路、１６  コンパレータ、１７  駆動回路、２０  降圧部、２１  入力コンデンサ、２２  降圧側スイッチ、２３  降圧側ダイオード、３０  昇圧部、３１  出力コンデンサ、３２  昇圧側スイッチ、３３  昇圧側ダイオード、４０  電流検出用抵抗、５１，５２  電圧検出用抵抗、Ｌ１  コイル、１００  ＤＣ−ＤＣコンバータ、２００  電源、３００ＬＥＤ
【図１】
2015089260.tif 000003
【図２】
2015089260.tif 000004
【図３】
2015089260.tif 000005
【図４】
2015089260.tif 000006
【図５】
2015089260.tif 000007
【図６】
2015089260.tif 000008